(57)【要約】  【課題】  限られた表示画面であっても効率的にメニューキーを表示するとともに操作が容易なタッチパネル式の操作表示装置を提供する。  【解決手段】  機器の動作モードを設定操作する複数のメニューキーが表示画面１１に表示されるタッチパネル式の操作表示装置１であって、周方向に複数の領域に分割され、各分割領域に異なるメニューキー１４が所定の順序で割り付けられた仮想的に無端の帯状領域１８を所定の方向視で表示するメニューキー表示手段と、前記表示画面１１に表示された前記帯状領域１８以外の領域に、選択されたメニューに対応して選択可能なサブメニューキー１９を表示するサブメニューキー表示手段と、前記帯状領域を一方向または他方向の何れかに回転表示させる回転操作キー１７を備えて構成される。  【選択図】  図４
2006024144.tif 000002
【特許請求の範囲】
【請求項１】
機器の動作モードを設定操作する複数のメニューキーが表示画面に表示されるタッチパネル式の操作表示装置であって、
周方向に複数の領域に分割され、各分割領域に異なるメニューキーが所定の順序で割り付けられた仮想的に無端の帯状領域を所定の方向視で表示するメニューキー表示手段と、前記表示画面に表示された前記帯状領域以外の領域に、選択されたメニューに対応して選択可能なサブメニューキーを表示するサブメニューキー表示手段と、前記帯状領域を一方向または他方向の何れかに回転表示させる回転操作キーとを備えてあるタッチパネル式の操作表示装置。
【請求項２】
前記メニューキー表示手段は、前記分割領域に割り付けられたメニューキーに対応して設定されたサブメニューを前記分割領域に表示するように構成してある請求項１記載のタッチパネル式の操作表示装置。
【請求項３】
前記回転操作キーで回転表示される前記帯状領域が所定位置に停止したときに、停止位置に対応した前記メニューキーを自動選択する自動選択手段を設けてある請求項１または２記載のタッチパネル式の操作表示装置。
【請求項４】
前記メニューキー表示手段で表示される分割領域のサイズを切替設定するサイズ切替手段を設けてある請求項１から３の何れかに記載のタッチパネル式の操作表示装置。
【請求項５】
前記メニューキー表示手段で表示される分割領域の相対位置を認識可能なスケール表示手段を設けてある請求項１から４の何れかに記載のタッチパネル式の操作表示装置。
【発明の詳細な説明】
【技術分野】
【０００１】
本発明は、機器の動作モードを設定操作する複数のメニューキーが表示画面に表示されるタッチパネル式の操作表示装置に関する。
【背景技術】
【０００２】
近年、複写機の高機能化に伴って、その機能の動作モードを設定操作するメニューキーも増加している。それに対し、メニューキーを表示する表示画面は、コスト増加や、複写機の構成上の理由により、そのサイズを大きくするのは容易では無く、メニューキーの全てを効率的に表示することが困難となる場合がある。そのため、ユーザーにとって操作しにくいものとなっていた。
【０００３】
そこで、このような問題を解決するものとして、すべてのメニューキーを同時に表示画面に表示出来ない場合に、メニューキーの一部分を表示画面に表示し、メニューキーをスクロール操作していくことで順次表示させ、すべてのメニューキーが選択出来る特許文献１に記載のものや、メニューキーを階層化し、上位階層から下位階層に順に更新表示させ、上位の階層のメニューキーを選択するとその下位の階層のサブメニューキーが表示され選択することができるものがある。
【特許文献１】特開平８−９５４３９号公報
【発明の開示】
【発明が解決しようとする課題】
【０００４】
しかし、上述したスクロール操作し直接選択するものでは、ユーザーが設定したいメニューキーを見逃した場合や、設定済みのメニューキーを再度設定し直したい場合に、例えば、探しているメニューキーが一端部付近にあり、現在のスクロール位置が他端部付近にある場合には、わざわざ他端部から一端部までスクロールしなければならず、そのため操作が煩雑になり、探していたメニューキーを見落としてしまうという虞があった。
【０００５】
また、上述した下位の階層のサブメニューキーが表示され選択されるものでは、サブメニュー選択後に下位の階層から上位の階層に戻るためのキー入力操作等が必要になり操作が煩雑になるという問題もあった。
【０００６】
本発明は、上述の従来欠点に鑑み、限られた表示画面であっても効率的にメニューキーを表示するとともに操作が容易なタッチパネル式の操作表示装置を提供する点にある。
【課題を解決するための手段】
【０００７】
上述の目的を達成するため、本発明によるタッチパネル式の操作表示装置の第一の特徴構成は、特許請求の範囲の欄の請求項１に記載した通り、機器の動作モードを設定操作する複数のメニューキーが表示画面に表示されるタッチパネル式の操作表示装置であって、周方向に複数の領域に分割され、各分割領域に異なるメニューキーが所定の順序で割り付けられた仮想的に無端の帯状領域を所定の方向視で表示するメニューキー表示手段と、前記表示画面に表示された前記帯状領域以外の領域に、選択されたメニューに対応して選択可能なサブメニューキーを表示するサブメニューキー表示手段と、前記帯状領域を一方向または他方向の何れかに回転表示させる回転操作キーとを備えてある点にある。
【０００８】
上述の構成によれば、メニューキーが、仮想的に無端の帯状領域に所定の順序で割り付けられ、前記帯状領域が一方向または他方向の何れかに回転表示されるので、ユーザーが一度設定したメニューキーについて再度設定し直したい場合や、探していたメニューキーを見逃しても、前記帯状領域を一方向または他方向に回転させることにより、再び表示させることができるのである。
【０００９】
同第二の特徴構成は、同請求項２に記載した通り、上述の第一の特徴構成に加えて、前記メニューキー表示手段は、前記分割領域に割り付けられたメニューキーに対応して設定されたサブメニューを前記分割領域に表示するように構成してある点にある。
【００１０】
上述の構成によれば、一度設定されたサブメニューがメニューキーに対応して表示されるので、メニューキーを見れば、その設定内容も同時に確認することが出来、ユーザーが設定内容を確認したいときは、メニューキーを探すことで設定内容を容易に確認できる。
【００１１】
同第三の特徴構成は、同請求項３に記載した通り、上述の第一または第二の特徴構成に加えて、前記回転操作キーで回転表示される前記帯状領域が所定位置に停止したときに、停止位置に対応した前記メニューキーを自動選択する自動選択手段を設けてある点にある。
【００１２】
上述の構成によれば、停止位置に対応した前記メニューキーが自動選択されるので、選択のためにメニューキーを押さずとも、前記回転操作キーのみを操作することでメニューキーが選択され、ユーザーのキー操作が軽減される。
【００１３】
同第四の特徴構成は、同請求項４に記載した通り、上述の第一から第三の何れかの特徴構成に加えて、前記メニューキー表示手段で表示される分割領域のサイズを切替設定するサイズ切替手段を設けてある点にある。
【００１４】
上述の構成によれば、ユーザーがより多くのメニューキーを表示したいときは分割領域を小さくし、また見やすいものを望む場合には分割領域を大きくすることができ、ユーザーの希望する大きさでメニューキーを表示することができるのである。
【００１５】
同第五の特徴構成は、同請求項５に記載した通り、上述の第一から第四の何れかの特徴構成に加えて、前記メニューキー表示手段で表示される分割領域の相対位置を認識可能なスケール表示手段を設けてある点にある。
【００１６】
上述の構成によれば、ユーザーは現在表示されるメニューキーが前記帯状領域のどの位置にあるか容易に認識することができ、選択したいメニューキーを探し易くなるのである。
【発明の効果】
【００１７】
以上説明した通り、本発明によれば、限られた表示画面であっても効率的にメニューキーを表示するとともに操作が容易なタッチパネル式の操作表示装置を提供することができるようになった。
【発明を実施するための最良の形態】
【００１８】
以下に本発明によるタッチパネル式の操作表示装置１が複写機に搭載された場合の実施の形態を説明する。図１に示すように、前記操作表示装置１は所定のプログラムに基づいて表示制御する表示制御ＣＰＵ２と、前記所定のプログラムが格納されるＲＯＭ３と、ワーキングエリアとしてのＲＡＭ４と、液晶表示画面１１を構成する液晶表示部１２への表示データを展開するＶＲＡＭ５と、前記ＶＲＡＭ５の表示データに基づいて前記液晶表示部１２を駆動する液晶ドライバ７と、ユーザーが押下したタッチパネル１３の位置を検出する位置検出部８と、プリントキーの背面に配置されたプリントキーバックライト５１等、ＬＥＤ等で構成される個別の表示素子に対するドライバ回路９と、プリントキー５０や数値キー６０等の操作信号を入力するバッファ回路１０と、前記バッファ回路１０等と前記表示制御ＣＰＵ２との間の設けた入出力ポート６等を備えて構成され、前記表示制御ＣＰＵ２は複写機本体制御部２００と通信ラインを介して接続される。
【００１９】
前記表示画面１１は、液晶表示部１２と、前記液晶表示部１２の表面に配置された透明電極でなるタッチパネル１３を備えて構成される。前記タッチパネル１３が押下されると、前記位置検出部８で検出された位置情報が前記入出力ポート６を介して前記表示制御ＣＰＵ２に入力され、前記ＣＰＵ２により前記ＶＲＡＭ５に展開されている表示データに基づいてどのキーが選択されたかが判断される。前記液晶ドライバ７は前記ＶＲＡＭ５に展開された表示データに基づいて前記液晶表示部１２を駆動する。これらの動作により、前記表示画面１１にキー入力があると前記プログラムに基づいて前記表示画面１１の表示が更新制御されるように構成されている。
【００２０】
図４に示すように、前記操作表示装置１には、上述した表示画面１１に加えて、コピー枚数等を設定する数値キー６０、複写動作を起動するプリントキー５０、初期設定画面を起動する初期設定スイッチ９０等が配置されている。
【００２１】
図４、図５、図６、図７に示すように、前記表示画面１１上の下部領域には略円筒状のエンドレスの帯状領域１８が表示され、その帯状領域１８の表示面側を長手方向に沿って３分割した分割領域に複数のメニューキー１４が割り付け配置される。前記メニューキー１４の下側領域１４ａにメニュー項目（用紙、倍率等）が表示され、上側領域１４ｂに前記メニュー項目に対応して設定されたサブメニュー項目（Ａ４タテ、自動倍率設定等）が表示される。前記帯状領域１８の上部領域には選択された前記メニューキー１４に対応するメニュー項目の詳細設定を行うためのサブメニューキー表示領域１６が設けられ、そのために必要なサブメニューキー１９が表示される。ここで、初期状態において、前記上側領域１４ｂのサブメニュー項目にはデフォルト値が表示される。尚、前記帯状領域１８の表示面側の分割数は、３分割されるものに限定されるものでなく、長手方向に４分割されるものや、５分割されるもの等任意の分割数で適宜設計されるものである。
【００２２】
前記帯状領域１８の両端には回転操作キー１７が配置され、左側の前記回転操作キー１７を押下すると前記帯状領域１８に表示された前記メニューキー１４が左周りに回転するように表示され、右側の前記回転操作キー１７を押下すると前記帯状領域１８に表示された前記メニューキー１４が右周りに回転するように表示され、一周すると同一のメニューキー１４が再度表示されるようになる。
【００２３】
前記回転操作キー１７のいずれかが一回押下されると表示されているメニューキー１４が一分割領域の幅分だけ左または右方向に回転するように構成されるものや、前記回転操作キー１７が一回押下されると、表示されている前記メニューキー１４が全て次のメニューキー１４に、つまり、三分割領域の幅分だけ左または右方向に回転するように構成されるものでも良い。
【００２４】
前記回転操作キー１７が所定時間連続して押下されると、その後は所定の回転速度で前記メニューキー１４が連続的に回転表示し続け、また、連続して押下される時間が前記所定時間を超えると、回転速度をさらに上げて前記メニューキー１４が回転表示されるよう制御される。
【００２５】
前記回転操作キー１７が単発的に押下される場合には、操作のオンエッジでメニューキー１４が回転表示され、前記回転操作キー１７が連続して押下され続ける場合には、押下開始から所定時間経過後に回転を開始し、操作のオフエッジで回転表示が停止するよう制御される。
【００２６】
図２に示すように、前記表示制御ＣＰＵ２により制御される前記操作表示装置１を、本発明を中心とした機能ブロックに分けて説明すると、前記ＲＯＭ３に格納されたメニューテーブル２０と、前記メニューキー１４を前記表示画面１１に表示制御するメニューキー表示手段３０と、選択された前記メニューキー１４に対応する前記サブメニューキー１９を前記サブメニューキー表示領域１６に表示するサブメニューキー表示手段４０を備えて構成される。
【００２７】
前記メニューテーブル２０にはプリント動作の設定項目として、用紙サイズ、読取濃度、排紙処理（ソート等）、倍率等のメニューと、各メニューの詳細な設定項目として、例えば用紙に対応するものとして、Ａ３、Ａ４縦、Ａ４横、Ａ５、Ｂ４等のサブメニューが関連付けされて格納されている。
【００２８】
前記メニューキー表示手段３０は、割付処理部３１と、回転処理部３２と、操作検知部３３と、サブメニューキー表示部１６とを備えて構成される。
【００２９】
前記割付処理部３１は図４に示す帯状領域１８の各分割領域に各メニューキー１４を所定の順序で割り付けて表示制御し、前記回転処理部３２は前記回転操作キー１７の操作に応答して前記帯状領域１８に割り付けられた前記メニューキー１４が左または右方向に回転するように表示切替制御する。
【００３０】
図２に示すように、前記操作検知部３３は前記メニューキー１４に対する選択操作がなされるとそれを検知し、前記サブメニューキー表示手段４０を起動する。前記サブメニューキー表示手段４０は、前記メニューテーブル２０を参照して、選択されたメニュー項目に対応するサブメニューキー１９をサブメニューキー表示領域１６に表示制御し、選択操作されたサブメニューキー１９情報をサブメニュー表示部３４に送信する。前記サブメニュー表示部３４は前記メニューキー１４の上側領域１４ｂに前記メニュー項目に対応して設定された前記サブメニュー項目を表示制御する。
【００３１】
上述の構成により、オペレータが、前記回転操作キー１７を操作して前記帯状領域１８に表示された複数のメニューキー１４を回転させることにより目的とするメニューキー１４が表示され、当該メニューキー１４を選択操作することでサブメニューキー表示領域１６に、選択されたメニューキー１４に対応するサブメニューキー１９が表示され、さらに目的とするサブメニューキーを選択操作することにより各メニューの詳細な設定が行なわれるのである。
【００３２】
以下に本発明によるメニュー項目の選択操作を、例として用紙をＡ３、倍率を１４１％、濃度を６段階中２番目に濃い濃度に設定する条件でコピー動作を実行する場合について、図３のフローチャートに基づいて説明する。
【００３３】
オペレータが前記メニューキー１４の中から用紙キーを選択すると（Ｓ１）、図５（ａ）に示すように、前記サブメニューキー表示領域１６に前記用紙キーに対応した前記サブメニューキー１９が表示される。図５（ｂ）に示すように、オペレータが前記サブメニューキー１９からＡ３を選択すると前記メニューキー１４の上部領域１４ｂにサブメニューのＡ４が表示される（Ｓ２）。
【００３４】
次に、前記メニューキー１４の中から倍率キーを選択すると（Ｓ３）、図６（ａ）に示すように、前記サブメニューキー表示領域１６に前記倍率キーに対応するサブメニューキー１９が表示される。図６（ｂ）に示すように、オペレータが前記サブメニューキー１９から拡大コピーの倍率１４１％を選択すると前記メニューキー１４の上部領域１４ｂにサブメニューの１４１％が表示される（Ｓ４）。
【００３５】
次に濃度を設定したい場合には、右側の前記回転操作キー１７を操作して前記帯状領域１８を回転操作させて所望の濃度キーを表示させる（Ｓ５）。図７（ａ）に示すように、オペレータが前記メニューキー１４の中から濃度キーを選択し（Ｓ６）、図７（ｂ）に示すように、前記サブメニューキー表示領域１６に表示されたサブメニューキー１９から６段階中２番目に濃い濃度に設定する濃度キーを選択すると、選択された濃度が前記メニューキー１４の上部領域１４ｂに表示される（Ｓ７）。
【００３６】
このようにしてメニューの設定入力が終了し、前記プリントキー５０を押下することにより設定されたメニューの下でコピーが開始される（Ｓ８）。
【００３７】
以上説明したように、本発明によれば限られた表示画面であっても効率的にメニューキーを表示するとともに操作が容易なタッチパネル式の操作表示装置が実現できるようになった。さらに、メニューキー１４がエンドレスの帯状領域１８に割り付けられ、一回転でメニューキーが元の表示状態に戻るように表示制御されるので、設定を望むメニューキーを容易に見つけ出すことができるという利点があり、選択されたメニューの詳細を設定するためにサブメニューキーを大きな表示領域に表示できるので、設定操作も極めて円滑に行なうことができるようになった。
【００３８】
以下に別実施の形態を説明する。上述した実施形態では、前記メニューキー１４を押下することにより前記メニューキー１４が選択されるものであったが、例えば、図８に示すように、前記帯状領域１８の下部中央にポインタ７０を表示し、前記ポインタ７０の指示位置に対応するメニューキー１４が自動選択される自動選択手段を設けて構成し、前記回転操作キー１７を操作して前記帯状領域１８を回転表示させ、選択したい前記メニューキー１４を前記ポインタ７０の指す位置に合わせることで、自動的に前記メニューキー１４が選択されるように構成するものであっても良い。
【００３９】
上述した実施形態では、前記帯状領域１８は、図４、図５、図６、図７に示すように、横に回転するドラム状のもので構成されていたが、前記帯状領域１８の態様はこれに限られるものではなく図９に示すように単に長方形のものや、図１０に示すように前記帯状領域１８が縦に回転するものであっても良い。
【００４０】
また、前記操作表示装置１に、サイズ切替手段３５（図２中、破線で示される）を設けて、図１１に示すように、前記サイズ切替手段３５により同一画面で帯状領域１８に表示されるメニューキー１４の数を異ならせるように切替表示可能に構成するものであっても良い。例えば、オペレータにより図４に示す初期設定キー９０が操作されたときに、初期設定画面が起動され、初期設定画面に表示される前記メニューキー１４の表示サイズ設定キーが選択操作されると複数の表示サイズ設定項目が表示されるように構成し、それらから望むサイズが選択されると、サイズ切替手段３５により表示される前記メニューキー１４のサイズが変更されるように構成することができる。これにより情報（メニューキー）の表示数を可変にできるので、オペレータの好みに合った表示態様で表示操作可能になる。例えば、手馴れたオペレータであれば一度に多くのメニューキーを表示させることで迅速に設定操作可能にし、目の不自由なオペレータであれば、メニューキーの表示数は少ないものの文字等を大きく表示させることで操作を容易に行なうことができるようになるのである。
【００４１】
上述のタッチパネル式の操作表示装置１に、表示されているメニューキー１４の前記帯状領域１８の中での相対位置を認識可能にするスケール表示手段３６（図２中、破線で示される）を備えるものであっても良い。図１２に示すように、前記スケール表示手段３６は、前記メニューキー１４が割付配置された帯状領域１８の全域を表す直線のスケール８１と、表示されているメニューキーが前記スケール８１のどの位置にあるかを示すマーカー８２とで構成され、前記回転操作キー１７を操作して前記帯状領域１８を回転させると、それに合わせて前記マーカー８２の位置が変化するように表示制御するように構成するものである。これにより、ユーザーは現在表示される前記メニューキー１４が前記帯状領域１８のどの位置にあるか容易に認識することができ、選択したい前記メニューキー１４を探し易くなるのである。
【００４２】
また、前記スケール表示手段３６により表示されるスケール８１は図１２に示される直線上の表示態様に限定されるものでなく、円形スケールや楕円形スケール等表示態様は適宜設定されるものである。
【００４３】
上述した何れかの実施形態に加えて、前記メニューキー表示手段３０に、前記メニューキー１４が割付配置された帯状領域１８を掲示板として使用し、任意のメッセージを表示するメッセージ表示手段を設け、複写機として使用されていないときに任意のメッセージを表示するように構成するものであってもよい。例えば、操作表示装置に対して所定時間何の操作もなされないときに、設定されたメニューを初期メニューに復帰させるオートリセット機能（複写機本体制御部からオートリセット信号が入力される）の作動に同期してメッセージ表示手段が起動して、前記帯状領域にメッセージを固定表示するか或いは移動表示するのである。メッセージは、「トナーを補給してください。」といった複写機のメンテナンス情報、或いは、任意の広告メッセージが表示されるように構成することができる。広告メッセージの場合には、募集したスポンサーからの広告メッセージを書き換え可能な記憶手段に記憶し、前記メッセージ表示手段が読み出して表示させるように構成することができる。前記記憶手段に記憶されたメッセージをオンラインで更新可能に構成することにより定期的に変更することも可能である。
【００４４】
上述した実施形態では、本発明によるタッチパネル式の操作表示装置を複写機に搭載したものを説明したが、搭載される機器はこれに限定されるものではなく、スキャナ等複数のメニューを設定する必要のある任意の機器に搭載できることはいうまでも無い。
【図面の簡単な説明】
【００４５】
【図１】操作表示装置の構成を説明する図
【図２】操作表示装置の制御ブロック構成図
【図３】フローチャート
【図４】操作表示装置の平面図
【図５】表示画面の動作を説明する図
【図６】表示画面の動作を説明する図
【図７】表示画面の動作を説明する図
【図８】別実施形態における自動選択手段を説明する図
【図９】別実施形態における帯状領域を説明する図
【図１０】別実施形態における帯状領域を説明する図
【図１１】別実施形態におけるサイズ切替手段を説明する図
【図１２】別実施形態におけるスケール表示手段を説明する図
【符号の説明】
【００４６】
１：操作表示装置
１１：表示画面
１４：メニューキー
１５：サブメニュー
１７：回転操作キー
１８：帯状領域
３０：メニューキー表示手段
３５：サイズ切替手段
３６：スケール表示手段
４０：サブメニューキー表示手段
【図１】
2006024144.tif 000003
【図２】
2006024144.tif 000004
【図３】
2006024144.tif 000005
【図４】
2006024144.tif 000006
【図５】
2006024144.tif 000007
【図６】
2006024144.tif 000008
【図７】
2006024144.tif 000009
【図８】
2006024144.tif 000010
【図９】
2006024144.tif 000011
【図１０】
2006024144.tif 000012
【図１１】
2006024144.tif 000013
【図１２】
2006024144.tif 000014